(57)【要約】【課題】高圧出力側のリターンワイアの発生を抑制するのみならず、印刷回路基板との関係で、充分な絶縁離隔距離の確保及びそれによる回路の具現が容易になり、従来のトランスよりも向上した効率及び相当な費用節減をもたらし、トランスを使用する製品の大きさも小型化することができるトランスを提供する。【解決手段】１本の入力端子５０３ａと１本の接地端子５０３ｂを有する１個の一次巻線部５０１と、それぞれ２本の出力端子（例えば、５０４ａ〜５０４ｄ）を有する２ｎ（ｎ：正数）個の二次巻線部５０２とが形成されたボビン５００と、１個の一次巻線部５０１に巻線された一次コイル５０６と、２ｎ個の二次巻線部に巻線された二次コイル５０７と、ボビンの内部に設けられた挿入溝にそれぞれ挿入される１対のコア５０８とを備える。【選択図】        図５−ａ
2007005755.tif 000002
【特許請求の範囲】
【請求項１】
１本の入力端子と１本の接地端子を有する１個の一次巻線部と、それぞれ２本の出力端
子を有する２ｎ（ｎ：正数）個の二次巻線部とが形成されたボビンと、
前記１個の一次巻線部に巻線された一次コイルと、
前記２ｎ個の二次巻線部に巻線された二次コイルと、
前記ボビンの内部に設けられた挿入溝にそれぞれ挿入される１対のコアと、
を備えることを特徴とするトランス。
【請求項２】
前記一次巻線部が、ボビンの中央に位置し、前記二次巻線部が、前記一次巻線部の両方
にそれぞれｎ個ずつ位置することを特徴とする請求項１に記載のトランス。
【請求項３】
前記一次捲線部および前記二次巻線部には、複数個の絶縁スリットが設けられることを
特徴とする請求項１または２に記載のトランス。
【請求項４】
前記一次コイルを巻線するとき、前記一次巻線部の入力端子から巻線が開始され、接地
端子で巻線が終了することを特徴とする請求項１〜３のいずれか一項に記載のトランス。
【請求項５】
前記二次コイルを巻線するとき、前記二次巻線部の一方の出力端子から巻線が開始され
、他方の出力端子で巻線が終了することを特徴とする請求項１〜４のいずれか一項に記載
のトランス。
【請求項６】
前記一次巻線部の入力端子と接地端子が、全て同じ方向に位置することを特徴とする請
求項１〜５のいずれか一項に記載のトランス。
【請求項７】
前記二次巻線部の出力端子が、全て同じ方向に位置することを特徴とする請求項１〜６
のいずれか一項に記載のトランス。
【請求項８】
前記一次巻線部の入力端子と前記二次巻線部の出力端子が、互いに反対方向に位置する
ことを特徴とする請求項１〜７のいずれか一項に記載のトランス。
【請求項９】
前記ボビンの中央から最外側に位置した２個の出力端子が、前記ボビンの両側面に位置
することを特徴とする請求項１〜８のいずれか一項に記載のトランス。
【請求項１０】
前記コアが、「Ｅ」字形コアであることを特徴とする請求項１〜９のいずれか一項に記
載のトランス。
【請求項１１】
前記コアが、外側磁路をなす「Ｕ」字形コアと内側磁路をなす「Ｉ」字形コアが結合さ
れたコアであることを特徴とする請求項１〜９のいずれか一項に記載のトランス。
【発明の詳細な説明】
【技術分野】
【０００１】
本発明は、トランスに関し、より詳しくは、一次巻線部を中心にして両方に二次巻線部
を位置させ、複数の出力を得るようにしたトランスに関する。
【背景技術】
【０００２】
最近、表示装置技術の発達につれて、液晶表示装置（ＬＣＤ）であるモニタが、コンピ
ュータまたはその他の表示装置の分野において、広く用いられつつある。ＣＲＴモニタと
比べて、前記ＬＣＤモニタは、縦断面がスリム化し、ちらつきが減少するという利点を有
する。前記ＬＣＤモニタは、バックライトモジュールを必要とするバックライトシステム
のために、高圧で駆動される蛍光ランプを有する。
【０００３】
なお、駆動回路があるインバータは、前記蛍光ランプを駆動させるのに用いられ、この
インバータは、高圧のトランスを有するが、前記トランスは、低い交流入力電圧で高い交
流出力電圧を発生させて、ＬＣＤパネルを構成するランプに電圧を供給する役割をする。
【０００４】
従来のトランスは、１個のトランスを駆動して、一個のランプに電源を供給するが、外
部電極蛍光ランプ（ＥＥＦＬ）または冷陰極蛍光ランプ（ＣＣＦＬ）を並列で駆動する場
合、数個のトランスを駆動して、数個のランプに電源を供給する。
【０００５】
また、ＬＣＤテレビまたはモニタ市場が成熟期に入るとともに、販売価格が下落するに
つれて、バックライトユニット関連部品の価格がますます下がっている。
【０００６】
したがって、バックライトユニット関連部品の価格による圧力のため、部品数及び単価
を減らそうとする努力が続けられており、これに対する努力の一環として、１個のトラン
スで数個のランプを駆動することができる製品開発の動きが盛んになってきた。
【０００７】
図１−ａ及び図２−ａは、従来の技術による１個のランプを駆動させることができるト
ランスを示す平面図であり、図１−ｂ及び図２−ｂは、前記トランスの等価回路を示す図
である。
【０００８】
図１−ａに示すトランスは、複数個の絶縁スリット１０６が設けられた１個の一次巻線
部１０１と１個の二次巻線部１０２とからなるボビン１００と、前記一次および二次巻線
部１０１、１０２に巻線された一次コイル１０７、二次コイル１０８と、前記ボビン１０
０の内部に設けられた挿入溝に挿入されるコア（図示せず）と、を備えている。
【０００９】
図１−ａに示すように、前記一次巻線部１０１に形成された入力端子（図示せず）から
一次側電圧が印加され、前記二次巻線部１０２は、２本の端子１０３、１０４を有し、１
本の端子１０３は出力端子として用いられ、残りの１本の端子１０４は接地端子として用
いられるようになる。したがって、図１−ｂの等価回路に示すように、前記トランスは、
１個のトランスで１個のランプのみを駆動させることができる。
【００１０】
また、前記二次コイル１０８の巻線は、前記二次巻線部１０２の出力端子１０３から開
始され、接地端子１０４で終了するので、高圧出力側を経るリターンワイヤ１０５が発生
してしまい、高圧出力側とリターンワイヤ１０５との絶縁問題が生じるという問題点を有
する。
【００１１】
また、前記ボビン１００の内部に設けられた挿入溝に１対のコアが挿入され、前記トラ
ンスには、「Ｅ」字形コア、外側磁路をなす「Ｕ」字形コアと内側磁路をなす「Ｉ」字形
コアが結合された「ＵＩ」形コアなどが用いられ得る。
【００１２】
また、図２−ａに示すトランスは、図１−ａのトランスと同様に、複数個の絶縁スリッ
ト２０６が設けられた１個の一次巻線部２０１と１個の二次巻線部２０２とからなるボビ
ン２００と、前記一次捲線部２０１、二次巻線部２０２に巻線された一次コイル２０７、
二次コイル２０８と、前記ボビン２００の内部に設けられた挿入溝に挿入されるコア（図
示せず）と、を備えている。
【００１３】
また、前記一次巻線部２０１に形成された入力端子から一次側電圧が印加され、前記二
次巻線部２０２は、２本の端子２０４、２０５を有し、１本の端子２０４が出力端子とし
て用いられるようになる。したがって、図２−ｂに示すように、前記トランスも、１個の
トランスで１個のランプのみを駆動させることができる。
【００１４】
しかし、図２−ａに示すトランスは、図１−ａのトランスとは異なる方法で二次コイル
２０８が巻線される。すなわち、前記二次コイル２０８の巻線は、前記一次巻線部２０１
の端子２０３から開始され、前記二次巻線部２０２の出力端子２０４で終了するようにな
る。これによって、前記トランスは、高圧出力側を経るリターンワイヤが発生せず、高圧
出力側とリターンワイヤとの絶縁問題が生じないという利点がある。
【００１５】
さらに、図１−ａのトランスと同様に、前記ボビン２００の内部に設けられた挿入溝に
１対のコアが挿入され、前記トランスには、「Ｅ」字形コア、外側磁路をなす「Ｕ」字形
コアと内側磁路をなす「Ｉ」字形コアが結合された「ＵＩ」形コアなどが用いられ得る。
【００１６】
図３−ａ及び図４−ａは、従来の技術による２個のランプを駆動させるトランスを示す
平面図であり、図３−ｂ及び図３−ｃと図４−ｂ及び図４−ｃは、前記トランスの等価回
路を示す図である。
【００１７】
図３−ａに示すトランスは、複数個の絶縁スリット３０６が設けられた１個の一次巻線
部３０１と１個の二次巻線部３０２とからなるボビン３００と、前記一、二次巻線部３０
１、３０２に巻線された一、二次コイル３０７、３０８と、前記ボビン３００の内部に設
けられた挿入溝に挿入されるコア（図示せず）と、を備えている。
【００１８】
図３−ａに示すように、前記一次巻線部１０１に形成された入力端子（図示せず）から
一次側電圧が印加され、前記二次巻線部３０２は、２本の端子３０３、３０４を有し、２
本の端子３０３、３０４共に、出力端子として用いられる。したがって、図３−b及び図
３Ｃの等価回路に示すように、前記トランスは、１個のトランスで２個のランプまたは１
個の「Ｕ」字形ランプを駆動させることができるので、図１−ａ及び図２−ａに示すトラ
ンスよりも向上した効率を有する。
【００１９】
しかし、前記二次コイル３０８の巻線は、前記二次巻線部３０２の一方の出力端子３０
３から開始され、他方の出力端子３０４で終了するので、図１−ａのトランスと同様に、
リターンワイヤ３０５が高圧出力側を経るようになり、高圧出力側とリターンワイヤ３０
５との絶縁問題が生じるという問題点を有する。
【００２０】
また、図１−ａ及び図２−ａのトランスと同様に、前記ボビン３００の内部に設けられ
た挿入溝に１対のコアが挿入され、前記トランスには、「Ｅ」字形コア、外側磁路をなす
「Ｕ」字形コアと内側磁路をなす「Ｉ」字形コアが結合された「ＵＩ」形コアなどが用い
られ得る。
【００２１】
また、図４−ａに示すトランスは、複数個の絶縁スリット４０５が設けられた１個の一
次巻線部４０１と２個の二次巻線部４０２とからなるボビン４００と、前記一次捲線部４
０１、二次巻線部４０２に巻線された一次コイル４０６、二次コイル４０７と、前記ボビ
ン４００の内部に設けられた挿入溝に挿入されるコア４０８と、を備えている。
【００２２】
図４−ａに示すように、前記一次巻線部４０１は、２本の入力端子４０３ａ、４０３ｂ
を有し、この入力端子４０３ａ、４０３ｂから一次側電圧が印加され、また、前記二次巻
線部４０２は、４本の入力端子４０４ａ〜４０４ｄを有し、このうち、２本の端子４０４
ａ、４０４ｄは出力端子として、残りの２本の端子は接地端子４０４ｂ、４０４ｃとして
用いられるようになる。したがって、図４−b及び図４−ｃに示すように、２個のランプ
または１個の「Ｕ」字形ランプを同時に駆動させることができるので、図１−ａ及び図２
−ａに示すトランスよりも向上した効率を有する。
【００２３】
また、前記一次巻線部４０１は、ボビン４００の中央に位置し、前記二次巻線部４０２
は、前記一次巻線部４０１の両方にそれぞれ１個ずつ位置させる。すなわち、１個のボビ
ンに２個の巻線部４０２を位置させることにより、１個のトランスで２個のランプまたは
１個の「Ｕ」字形ランプを同時に駆動させることができるようになる。
【００２４】
また、前記二次コイル４０７の巻線は、前記一次巻線部４０１の入力端子４０３ａ、４
０３ｂから開始され、前記二次巻線部４０２の出力端子４０４ａ、４０４ｄで終了するよ
うになる。これによって、前記トランスは、高圧出力側を経るリターンワイヤが発生せず
、高圧出力側とリターンワイヤとの絶縁問題が生じないという長所もあるので、従来の技
術によるトランスのうち、最も多く用いられているトランスと言える。
【００２５】
さらに、上述したトランスと同様に、前記ボビン４００の内部に設けられた挿入溝に１
対のコイル４０８が挿入され、前記トランスには、「Ｅ」字形コア４０８、外側磁路をな
す「Ｕ」字形コアと内側磁路をなす「Ｉ」字形コアが結合された「ＵＩ」形コア４０８な
どが用いられ得る。
【発明の開示】
【発明が解決しようとする課題】
【００２６】
しかし、上述したような従来のトランスでは、二次巻線部の全ての端子を出力端子とし
て用いていないことにより、数個のランプを同時に駆動させることができず、利用効率が
顕著に劣るのみならず、相当な費用がかかり、トランスを使用する製品が大型化するとい
う問題点があった。
【００２７】
また、１個のボビンに一次巻線部と二次巻線部が並設されており、二次コイルの巻線を
二次巻線部の一方の出力端子から開始し、他方の出力端子で終了させることにより、高圧
出力側を経るリターンワイヤのため、高圧出力側とリターンワイヤとの絶縁問題が生じ、
出力電流の波形が歪んでしまうという問題点があった。
【００２８】
しかも、入力端子と出力端子が互いに反対方向に位置していないトランスの場合、電気
的に連結される印刷回路基板との関係で、充分な絶縁離隔距離を確保することができず、
これにより、回路の具現が難しいという問題点があった。
【００２９】
本発明は、上述の問題点に鑑みてなされたもので、その目的は、一次巻線部を中心にし
て両方に二次巻線部を位置させ、二次巻線部の全ての端子が出力端子として用いられ、入
力端子と出力端子を互いに反対方向に位置させることにより、高圧出力側のリターンワイ
アの発生を抑制するのみならず、印刷回路基板との関係で、充分な絶縁離隔距離の確保及
びそれによる回路の具現が容易になり、従来のトランスよりも向上した効率及び相当な費
用節減をもたらし、トランスを使用する製品の大きさも小型化することができるトランス
を提供することにある。
【課題を解決するための手段】
【００３０】
上述した課題を解決し、目的を達成するために、本発明のトランスは、１本の入力端子
と１本の接地端子を有する１個の一次巻線部と、それぞれ２本の出力端子を有する２ｎ（
ｎ：正数）個の二次巻線部とが形成されたボビンと、前記１個の一次巻線部に巻線された
一次コイルと、前記２ｎ個の二次巻線部に巻線された二次コイルと、前記ボビンの内部に
設けられた挿入溝にそれぞれ挿入される１対のコアと、を備えることを特徴とする。
【００３１】
本発明のトランスは、また、前記一次巻線部が、ボビンの中央に位置し、前記二次巻線
部が、前記一次巻線部の両方にそれぞれｎ個ずつ位置することを特徴とする。
【００３２】
本発明のトランスは、また、前記一、二次巻線部には、複数個の絶縁スリットが設けら
れることを特徴とする。
【００３３】
本発明のトランスは、また、前記一次コイルを巻線するとき、前記一次巻線部の入力端
子から巻線が開始され、接地端子で巻線が終了することを特徴とする。
【００３４】
本発明のトランスは、また、前記二次コイルを巻線するとき、前記二次巻線部の一方の
出力端子から巻線が開始され、他方の出力端子で巻線が終了することを特徴とする。
【００３５】
本発明のトランスは、また、前記一次巻線部の入力端子と接地端子が、全て同じ方向に
位置することを特徴とする。
【００３６】
本発明のトランスは、また、前記二次巻線部の出力端子が、全て同じ方向に位置するこ
とを特徴とする。
【００３７】
本発明のトランスは、また、前記一次巻線部の入力端子と前記二次巻線部の出力端子が
、互いに反対方向に位置することを特徴とする。
【００３８】
本発明のトランスは、また、前記ボビンの中央から最外側に位置した２個の出力端子が
、前記ボビンの両側面に位置することを特徴とする。
【００３９】
本発明のトランスは、また、前記コアが、「Ｅ」字形コアであることを特徴とする。
【００４０】
本発明のトランスは、また、前記コアが、外側磁路をなす「Ｕ」字形コアと内側磁路を
なす「Ｉ」字形コアが結合されたコアであることを特徴とする。
【発明の効果】
【００４１】
本発明によれば、一次巻線部を中心にして両方に二次巻線部を位置させ、二次巻線部の
全ての端子が出力端子として用いられ、入力端子と出力端子を互いに反対方向に位置させ
ることにより、高圧出力側を経るリターンワイアが発生しないようにすることにより、高
圧出力側とリターンワイヤの絶縁問題、及びリターンワイヤによるノイズが全くないこと
はもちろん、出力電流の波形も歪まないという効果がある。
【００４２】
また、本発明によれば、入力端子と出力端子を互いに反対方向に位置させることにより
、トランスと電気的に連結される印刷回路基板との関係で、充分な絶縁離隔距離を確保す
ることができ、これにより、回路を具現することが容易であるという効果がある。
【００４３】
また、本発明によれば、二次巻線部の全ての端子が出力端子として用いられ、数個のラ
ンプを同時に駆動させることができるので、従来のトランスよりも向上した効率を有する
のみならず、相当な費用が節減され、トランスを使用する製品の大きさも従来のトランス
よりも小型化することができるという効果がある。
【発明を実施するための最良の形態】
【００４４】
以下、本発明の好ましい実施の形態を、添付図面に基づき詳細に説明する。
【００４５】
＜第１の実施の形態＞
図５−ａは、本発明に係る２個の二次巻線部を有するトランスを示す平面図であり、図
５−b及び図５−cは、前記トランスの等価回路を示す図である。
【００４６】
図５−ａに示すように、本発明に係る第１の実施の形態のトランスは、複数個の絶縁ス
リット５０５が設けられた１個の一次巻線部５０１と２個の二次巻線部５０２とからなる
ボビン５００と、前記一次捲線部５０１、二次巻線部５０２に巻線された一次コイル５０
６、二次コイル５０７と、前記ボビン５００の内部に設けられた挿入溝に挿入されるコア
５０８と、を備えている。
【００４７】
ここで、本実施の形態によるトランスは、前記一次巻線部５０１が、１本の入力端子５
０３ａと１本の接地端子５０３ｂを有し、この入力端子５０３ａから一次側電圧が印加さ
れ、また、前記二次巻線部５０２が、４本の出力端子５０４ａ〜５０４ｄを有し、図５−
b及び図５−cに示すように、４個のランプまたは２個の「Ｕ」字形ランプを同時に駆動さ
せることにより、従来のトランスよりも向上した効率を有するようになる。
【００４８】
また、前記一次巻線部５０１は、ボビン５００の中央に位置し、前記二次巻線部５０２
は、前記一次巻線部５０１の両方にそれぞれ一個ずつ位置させる。すなわち、１個のボビ
ンに２個の二次巻線部５０２を位置させることにより、１個のトランスで４個のランプま
たは２個の「Ｕ」字形ランプを駆動させるようになる。
【００４９】
したがって、従来は、４個のトランスを用いて駆動できた場合も、本発明によれば、１
個のトランスで駆動させることができるので、従来のトランスを駆動させるときよりも、
１／４の費用節減の効果があり、トランスを使用する製品の大きさも、従来より小型化す
ることができるという効果を有する。
【００５０】
また、本実施の形態によるトランスは、前記一次巻線部５０１の入力端子５０３ａと接
地端子５０３ｂが、全て同じ方向に位置し、前記二次巻線部５０２の出力端子５０４ａ〜
５０４ｄも、全て同じ方向に位置し、前記一次巻線部５０１の入力端子５０３ａと前記二
次巻線部５０２の出力端子５０４ａ〜５０４ｄが、互いに反対方向に位置するようになっ
ている。
【００５１】
このようにトランスの入出力端子を構成することにより、前記入力端子５０３ａと出力
端子５０４ａ〜５０４ｄが、互いに反対方向に位置するようになると、前記トランスと電
気的に連結される印刷回路基板との関係で、充分な絶縁離隔距離を確保することができ、
これにより、回路を具現することが容易になる。
【００５２】
このとき、前記ボビン５００の中央から最外側に位置した２本の出力端子５０４ａ、５
０４ｄは、前記ボビン５００の両側面に位置してもよい。なぜなら、従来は、印刷回路基
板上に高圧キャパシタを直接使用してきたが、最近は、印刷回路基板上にパターンを広く
形成させて、高圧キャパシタを製造する方法が多く用いられているので、ボビン５００の
中央から最外側に位置した２本の出力端子５０４ａ、５０４ｄを、前記ボビン５００の両
側面に位置させることが、印刷回路基板との関係で、充分な絶縁離隔距離を確保するにお
いて容易であるからである。
【００５３】
また、前記一次コイル５０６、二次コイル５０７を巻線するにあたって、前記一次コイ
ル５０６の巻線は、前記一次巻線部５０１の入力端子５０３ａから開始され、接地端子５
０３ｂで終了し、前記二次コイル５０７の巻線は、前記二次巻線部５０２の一方の出力端
子５０４ａ、５０４ｃから開始され、他方の出力端子５０４ｂ、５０４ｄで終了するよう
になる。
【００５４】
また、前記ボビン５００の内部に設けられた挿入溝に、１対のコア５０８が挿入され、
前記トランスには、「Ｅ」字形コア５０８、外側磁路をなす「Ｕ」字形コアと内側磁路を
なす「Ｉ」字形コアが結合された「ＵＩ」形コア５０８などが用いられ得る。
【００５５】
なお、上述したように、本実施の形態によるトランスは、前記一次巻線部５０１を中心
にして、両方に二次巻線部５０２が位置されており、前記二次巻線部５０２の全ての端子
が出力端子５０４ａ〜５０４ｄとして用いられ、前記入力端子５０３ａと出力端子５０４
ａ〜５０４ｄが互いに反対方向に位置するように構成されることを特徴としている。この
ような特徴は、従来、多くの問題を引き起こした、高圧出力側のリターンワイヤの発生を
抑制することができるので、従来のトランスに発生した高圧出力側とリターンワイヤの絶
縁問題、及びリターンワイヤによるノイズが発生しないことはもちろん、出力電流の波形
も歪まないという長所を有する。
【００５６】
＜第２の実施の形態＞
図６−ａは、本発明に係る４個の二次巻線部を有するトランスを示す平面図であり、図
６−b及び図６−cは、前記トランスの等価回路を示す図である。
【００５７】
図６−ａに示すように、本発明に係る第２の実施の形態のトランスは、複数個の絶縁ス
リット６０５が設けられた１個の一次巻線部６０１と４個の二次巻線部６０２とからなる
ボビン６００と、前記一次捲線部６０１、二次巻線部６０２に巻線された一次コイル６０
６、二次コイル６０７と、前記ボビン６００の内部に設けられた挿入溝に挿入されるコア
６０８と、を備えている。
【００５８】
ここで、本実施の形態によるトランスは、前記一次巻線部６０１が、１本の入力端子６
０３ａと１本の接地端子６０３ｂを有し、この入力端子６０３ａから一次側電圧が印加さ
れ、また、前記二次巻線部６０２が、８本の出力端子６０４ａ〜６０４ｈを有し、図６−
b及び図６−cに示すように、８個のランプまたは４個の「Ｕ」字形ランプを同時に駆動さ
せることにより、従来のトランスよりも向上した効率を有するようになる。
【００５９】
また、前記一次巻線部６０１は、ボビン６００の中央に位置し、前記二次巻線部６０２
は、前記一次巻線部６０１の両方にそれぞれ２個ずつ位置させる。すなわち、１個のボビ
ンに４個の二次巻線部６０２を位置させることにより、１個のトランスで８個のランプま
たは４個の「Ｕ」字形ランプを同時に駆動させるようになる。
【００６０】
したがって、従来は、８個のトランスを用いて駆動できた場合も、本発明によれば、１
個のトランスで駆動させることができるので、従来のトランスを駆動させるときよりも、
１／８の費用節減の効果があり、トランスを使用する製品の大きさも、従来のトランスよ
り小型化することができるという効果を有する。
【００６１】
また、本実施の形態によるトランスは、前記一次巻線部６０１の入力端子６０３ａと接
地端子６０３ｂが、全て同じ方向に位置し、前記二次巻線部６０２の出力端子６０４ａ〜
６０４ｈも、全て同じ方向に位置し、前記一次巻線部６０１の入力端子６０３ａと前記二
次巻線部６０２の出力端子６０４ａ〜６０４ｈが、互いに反対方向に位置するようになっ
ている。
【００６２】
このようにトランスの入出力端子を構成するにあたって、前記入力端子６０３ａと出力
端子６０４ａ〜６０４ｈが、互いに反対方向に位置すると、第１の実施の形態と同様に、
前記トランスと電気的に連結される印刷回路基板との関係で、充分な絶縁離隔距離を確保
することができ、これにより、回路を具現することが容易になる。
【００６３】
このとき、第１の実施の形態と同様に、前記ボビン６００の中央から最外側に位置した
２本の出力端子６０４ａ、６０４ｈは、前記ボビン６００の両側面に位置してもよい。
【００６４】
また、前記一次コイル６０６、二次コイル６０７を巻線するにあたって、前記一次コイ
ル６０６の巻線は、前記一次巻線部６０１の入力端子６０３ａから開始され、接地端子６
０３ｂで終了し、前記二次コイル６０７の巻線は、前記二次巻線部６０２の一方の出力端
子６０４ａ、６０４ｃ、６０４ｅ、６０４ｇから開始され、他方の出力端子６０４ｂ、６
０４ｄ、６０４ｆ、６０４ｈで終了するようになる。
【００６５】
また、第１の実施の形態と同様に、前記ボビン６００の内部に設けられた挿入溝に、１
対のコア６０８が挿入され、前記トランスには、「Ｅ」字形コア６０８、外側磁路をなす
「Ｕ」字形コアと内側磁路をなす「Ｉ」字形コアが結合された「ＵＩ」形コア６０８など
が用いられ得る。
【００６６】
なお、上述したように、本実施の形態によるトランスも、第１の実施の形態のトランス
と同様に、前記一次巻線部６０１を中心にして、両方に二次巻線部６０２が位置されてお
り、前記二次巻線部６０２の全ての端子が出力端子６０４ａ〜６０４ｈとして用いられ、
前記入力端子６０３ａと出力端子６０４ａ〜６０４ｈが互いに反対方向に位置するように
構成されることを特徴としている。このような特徴は、従来、多くの問題を引き起こした
、高圧出力側のリターンワイヤの発生を抑制することができるので、従来に発生した高圧
出力側とリターンワイヤの絶縁問題、及びリターンワイヤによるノイズが発生しないこと
はもちろん、出力電流の波形も歪まないという長所を有する。
【００６７】
上述した本発明の好ましい実施の形態は、例示の目的のために開示されたものであり、
本発明の属する技術の分野における通常の知識を有する者であれば、本発明の技術的思想
を逸脱しない範囲内で、様々な置換、変形、及び変更が可能であり、このような置換、変
更などは、特許請求の範囲に属するものである。
【産業上の利用可能性】
【００６８】
以上のように、本発明に係るトランスは、例えば液晶表示装置に有用であり、特に、バ
ックライトシステムに適している。
【図面の簡単な説明】
【００６９】
【図１−ａ】従来の技術による１個のランプを駆動させるトランスを示す平面図である。
【図１−ｂ】図１−ａに示すトランスの等価回路図である。
【図２−ａ】従来の技術による１個のランプを駆動させるトランスを示す平面図である。
【図２−ｂ】図２−ａに示すトランスの等価回路図である。
【図３−ａ】従来の技術による２個のランプを駆動させるトランスを示す平面図である。
【図３−ｂ】図３−ａに示すトランスの等価回路図である。
【図３−ｃ】図３−ａに示すトランスの等価回路図である。
【図４−ａ】従来の技術による２個のランプを駆動させるトランスを示す平面図である。
【図４−ｂ】図４−ａに示すトランスの等価回路図である。
【図４−ｃ】図４−ａに示すトランスの等価回路図である。
【図５−ａ】本発明に係る第１の実施の形態のトランスを示す平面図である。
【図５−ｂ】図５−ａに示すトランスの等価回路図である。
【図５−ｃ】図５−ａに示すトランスの等価回路図である。
【図６−ａ】本発明に係る第２の実施の形態のトランスを示す平面図である。
【図６−ｂ】図５−ａに示すトランスの等価回路図である。
【図６−ｃ】図５−ａに示すトランスの等価回路図である。
【符号の説明】
【００７０】
５００、６００    ボビン
５０１、６０１    一次巻線部
５０２、６０２    二次巻線部
５０３ａ、６０３ａ    入力端子
５０３ｂ、６０３ｂ    接地端子
５０４ａ〜５０４ｄ、６０４ａ〜６０４ｈ    出力端子
５０５、６０５    絶縁スリット
５０６、６０６    一次コイル
５０７、６０７    二次コイル
５０８、６０８    コア
【図１−ａ】
2007005755.tif 000003
【図１−ｂ】
2007005755.tif 000004
【図２−ａ】
2007005755.tif 000005
【図２−ｂ】
2007005755.tif 000006
【図３−ａ】
2007005755.tif 000007
【図３−ｂ】
2007005755.tif 000008
【図３−ｃ】
2007005755.tif 000009
【図４−ａ】
2007005755.tif 000010
【図４−ｂ】
2007005755.tif 000011
【図４−ｃ】
2007005755.tif 000012
【図５−ａ】
2007005755.tif 000013
【図５−ｂ】
2007005755.tif 000014
【図５−ｃ】
2007005755.tif 000015
【図６−ａ】
2007005755.tif 000016
【図６−ｂ】
2007005755.tif 000017
【図６−ｃ】
2007005755.tif 000018